(57)【特許請求の範囲】
【請求項１】
カメラ装置に対して本来装着不能な種類のレンズ装置をレンズサポータを介して装着すると共に、前記レンズ装置と前記カメラ装置との間で信号伝送を行うことを可能としたテレビカメラシステムであって、前記カメラ装置が、レンズ装置との間で信号伝送を行うための１つのコネクタを有し、該コネクタにパラレル通信を行うための端子とシリアル通信を行うための端子を備えているテレビカメラシステムにおいて、
前記レンズ装置又は前記レンズサポータに、前記カメラ装置のコネクタに接続可能なパラレル通信用コネクタ及びシリアル通信用コネクタが設けられ、
前記カメラ装置のコネクタに前記パラレル通信用コネクタを接続することにより、前記レンズ装置からのパラレル通信用の信号線が前記カメラ装置のコネクタのパラレル通信用の端子に接続され、前記レンズ装置と前記カメラ装置との間でパラレル通信による信号伝送を可能とし、
前記カメラ装置のコネクタに前記シリアル通信用コネクタを接続することにより、前記レンズ装置からのシリアル通信用の信号線が前記カメラ装置のコネクタのシリアル通信用の端子に接続され、前記レンズ装置と前記カメラ装置との間でシリアル通信による信号伝送を可能としたテレビカメラシステムであって、
前記パラレル通信用コネクタ及び前記シリアル通信用コネクタのうちのいずれか一方のコネクタと前記カメラ装置のコネクタとの間をケーブルにより接続したことを特徴とするテレビカメラシステム。
【請求項２】
前記パラレル通信用コネクタ及び前記シリアル通信用コネクタは、前記レンズサポータに設けられ、前記レンズ装置と前記レンズサポータとの間での所定のコネクタの接続を通じて、前記パラレル通信用コネクタ及び前記シリアル通信用コネクタの各端子に前記レンズ装置からの所定の信号線が接続されることを特徴とする請求項１のテレビカメラシステム。
【請求項３】
カメラ装置に対して本来装着不能な種類のレンズ装置をレンズサポータを介して装着すると共に、前記レンズ装置と前記カメラ装置との間で信号伝送を行うことを可能としたテレビカメラシステムであって、前記カメラ装置が、レンズ装置との間で信号伝送を行うための１つのコネクタを有し、該コネクタにパラレル通信を行うための端子とシリアル通信を行うための端子を備えているテレビカメラシステムにおいて、
前記レンズ装置又は前記レンズサポータに、前記カメラ装置のコネクタに接続可能なパラレル通信用コネクタ及びシリアル通信用コネクタが設けられ、
前記カメラ装置のコネクタに前記パラレル通信用コネクタを接続することにより、前記レンズ装置からのパラレル通信用の信号線が前記カメラ装置のコネクタのパラレル通信用の端子に接続され、前記レンズ装置と前記カメラ装置との間でパラレル通信による信号伝送を可能とし、
前記カメラ装置のコネクタに前記シリアル通信用コネクタを接続することにより、前記レンズ装置からのシリアル通信用の信号線が前記カメラ装置のコネクタのシリアル通信用の端子に接続され、前記レンズ装置と前記カメラ装置との間でシリアル通信による信号伝送を可能としたテレビカメラシステムであって、
前記パラレル通信用コネクタは、２つの第１コネクタ及び第２コネクタからなり、
前記第１コネクタに装着可能な第１ケーブルコネクタと、前記第２コネクタ及び前記シリアル通信用コネクタに装着可能な第２ケーブルコネクタと、前記カメラ装置のコネクタに装着可能な第３ケーブルコネクタとを有するケーブルであって、第１ケーブルコネクタ及び第２ケーブルコネクタの各端子を前記第３ケーブルコネクタの各端子に接続するケーブルの接続において、前記第１ケーブルコネクタを前記第１コネクタに装着し、前記第２ケーブルコネクタを前記第２コネクタに装着し、前記第３ケーブルコネクタを前記カメラ装置のコネクタに装着することにより、前記レンズ装置と前記カメラ装置との間でパラレル通信による信号伝送を可能とし、
前記シリアル通信用コネクタに前記第２ケーブルコネクタを装着し、前記第３ケーブルコネクタを前記カメラ装置のコネクタに装着することにより、前記レンズ装置と前記カメラ装置との間でシリアル通信による信号伝送を可能とすることを特徴とするテレビカメラシステム。
【発明の詳細な説明】
【技術分野】
【０００１】
本発明はテレビカメラシステムに係り、特にテレビカメラ（カメラ装置）とテレビレンズ（レンズ装置）との間で信号伝送を行うための電気インターフェースを有するテレビカメラシステムに関する。
【背景技術】
【０００２】
テレビカメラには、主にスタジオ等で使用される大型のカメラ（ＥＦＰカメラ）と、主に取材などに携帯して使用される小型のカメラ（ＥＮＧカメラ）があり、ＥＦＰカメラには、箱型で大型のテレビレンズ（ＥＦＰレンズ）が装着され、ＥＮＧカメラには、小型のテレビレンズ（ＥＮＧレンズ）が装着されて使用される。
【０００３】
また、ＥＮＧカメラにＥＦＰレンズを装着して使用する場合も増えており、その場合には、ＥＮＧカメラとＥＦＰレンズとの間に機械的、電気的に双方を接続するためのアダプタ（レンズサポータ）が使用されている（例えば特許文献１参照）。
【０００４】
ところで、テレビカメラとテレビレンズとを電気的に接続するインターフェース（コネクタ）の仕様として、ＥＦＰカメラとＥＦＰレンズとには、双方のマウント部に３６ピンのコネクタが設けられている。ＥＦＰカメラとＥＦＰレンズとの間では、そのコネクタを通じてパラレル通信又はシリアル通信による信号伝送が行われるようになっており、パラレル通信を行う場合には、コネクタの３６ピンの全てが所定の種類の信号伝送に使用され、シリアル通信を行う場合には、３６ピンのうちの２本のピンが主に使用されるようになっている。そのシリアル通信に使用される２本のピンは８番ピンと１８番ピンであり、これらの２本のピンは、パラレル通信とシリアル通信とで共用されている。
【０００５】
ＥＮＧカメラとＥＮＧレンズとでは、双方に１２ピンのコネクタが設けられており、ケーブルを通じてそれらのコネクタが接続されるようになっている。ＥＮＧカメラとＥＦＰレンズとの間においてもそれらのコネクタを通じてパラレル通信又はシリアル通信による信号伝送が行われるようになっており、パラレル通信を行う場合には、コネクタの１２ピンのうちの１１本のピンが所定の種類の信号伝送に使用され、シリアル通信を行う場合には、コネクタの１２ピンのうちの２本のピンが主に使用されるようになっている。シリアル通信に使用される２本のピンは１１番ピンと１２番ピンであり、これらの２本のピンのうち１２番ピンはシリアル通信専用に設けられたピンであり、１１番ピンがパラレル通信とシリアル通信とで共用され、１２番ピンがシリアル通信のみで使用されている。
【０００６】
このようなインターフェースの仕様において、ＥＮＧカメラにレンズサポータを介してＥＦＰレンズを装着する場合に、従来では、ＥＮＧカメラとＥＦＰレンズとの間での信号伝送をパラレル通信のみに限定すると共に、レンズサポータにおいて、ＥＮＧカメラのコネクタのパラレル通信に使用するピン（１〜１１番ピン）と、そのパラレル通信に使用するピンに対応するＥＦＰレンズのコネクタのピン（４〜６、８、１２〜１８番ピン）とを接続するようにしていた。
【０００７】
また、特許文献２では、ＥＮＧカメラにレンズサポータを介してＥＦＰレンズを装着した場合にパラレル通信とシリアル通信の両方式での信号伝送に対応したものが開示されている。これによれば、ＥＮＧカメラがシリアル通信に対応しているか否かが自動で検出され、シリアル通信に対応している場合と対応していない場合とで、ＥＮＧカメラのコネクタとＥＦＰレンズのコネクタとの間での各ピンの接続がレンズサポータ内で自動で切り替えられるようになっている。ＥＮＧカメラがシリアル通信に対応していない場合には、パラレル通信による信号伝送を行うために、ＥＮＧカメラのコネクタのパラレル通信に使用するピンと、これに対応するＥＦＰレンズのコネクタのピンとが接続される。一方、ＥＮＧカメラがシリアル通信に対応している場合には、シリアル通信による信号伝送を行うために、ＥＦＰレンズのコネクタのシリアル通信に使用する２本のピンの接続先がＥＮＧカメラのコネクタのシリアル通信に使用する２本のピンに切り替えられるようになっている。
【特許文献１】特開平０７−２２５４２４号公報
【特許文献２】特許第３７９９１６９号公報
【発明の開示】
【発明が解決しようとする課題】
【０００８】
しかしながら、特許文献２のように、ＥＮＧカメラとＥＦＰレンズの各コネクタ間での各ピンの接続を自動で切り替えるようにすると、処理負担や製造コストが増大するという問題がある。
【０００９】
本発明はこのような事情に鑑みてなされたもので、カメラ装置がパラレル通信用とシリアル通信用の端子（ピン）を１つのコネクタに備えている場合であって、そのカメラ装置に対して本来適合しない種類のレンズ装置を装着して使用する場合において、安価な構成により、レンズ装置とカメラ装置のとの間での信号伝送の方式をパラレル通信とシリアル通信とで切り替えられるようにしたテレビカメラシステムを提供することを目的とする。
【課題を解決するための手段】
【００１０】
前記目的を達成するために、請求項１に記載のテレビカメラシステムは、カメラ装置に対して本来装着不能な種類のレンズ装置をレンズサポータを介して装着すると共に、前記レンズ装置と前記カメラ装置との間で信号伝送を行うことを可能としたテレビカメラシステムであって、前記カメラ装置が、レンズ装置との間で信号伝送を行うための１つのコネクタを有し、該コネクタにパラレル通信を行うための端子とシリアル通信を行うための端子を備えているテレビカメラシステムにおいて、前記レンズ装置又は前記レンズサポータに、前記カメラ装置のコネクタに接続可能なパラレル通信用コネクタ及びシリアル通信用コネクタが設けられ、前記カメラ装置のコネクタに前記パラレル通信用コネクタを接続することにより、前記レンズ装置からのパラレル通信用の信号線が前記カメラ装置のコネクタのパラレル通信用の端子に接続され、前記レンズ装置と前記カメラ装置との間でパラレル通信による信号伝送を可能とし、前記カメラ装置のコネクタの前記シリアル通信用コネクタを接続することにより、前記レンズ装置からのシリアル通信用の信号線が前記カメラ装置のコネクタのシリアル通信用の端子に接続され、前記レンズ装置と前記カメラ装置との間でシリアル通信による信号伝送を可能としたテレビカメラシステムであって、前記パラレル通信用コネクタ及び前記シリアル通信用コネクタのうちのいずれか一方のコネクタと前記カメラ装置のコネクタとの間をケーブルにより接続したことを特徴としている。
【００１１】
本発明によれば、レンズ装置又はレンズサポータと、カメラ装置とのコネクタの接続を単に変更することによってレンズ装置とカメラ装置との間での信号伝送の方式をパラレル通信とシリアル通信とで変更することができる。
【００１２】
請求項２に記載のテレビカメラシステムは、請求項１に記載の発明において、前記パラレル通信用コネクタ及び前記シリアル通信用コネクタは、前記レンズサポータに設けられ、前記レンズ装置と前記レンズサポータとの間での所定のコネクタの接続を通じて、前記パラレル通信用コネクタ及び前記シリアル通信用コネクタの各端子に前記レンズ装置からの所定の信号線が接続されることを特徴としている。
【００１３】
本発明は、請求項１に記載の発明の一態様であり、パラレル通信用コネクタと、シリアル通信用コネクタをレンズサポータに設けた態様を示す。レンズ装置とレンズサポータとの間の接続は、従来のものが使用できる。
【００１６】
請求項３に記載のテレビカメラシステムは、カメラ装置に対して本来装着不能な種類のレンズ装置をレンズサポータを介して装着すると共に、前記レンズ装置と前記カメラ装置との間で信号伝送を行うことを可能としたテレビカメラシステムであって、前記カメラ装置が、レンズ装置との間で信号伝送を行うための１つのコネクタを有し、該コネクタにパラレル通信を行うための端子とシリアル通信を行うための端子を備えているテレビカメラシステムにおいて、前記レンズ装置又は前記レンズサポータに、前記カメラ装置のコネクタに接続可能なパラレル通信用コネクタ及びシリアル通信用コネクタが設けられ、前記カメラ装置のコネクタに前記パラレル通信用コネクタを接続することにより、前記レンズ装置からのパラレル通信用の信号線が前記カメラ装置のコネクタのパラレル通信用の端子に接続され、前記レンズ装置と前記カメラ装置との間でパラレル通信による信号伝送を可能とし、前記カメラ装置のコネクタに前記シリアル通信用コネクタを接続することにより、前記レンズ装置からのシリアル通信用の信号線が前記カメラ装置のコネクタのシリアル通信用の端子に接続され、前記レンズ装置と前記カメラ装置との間でシリアル通信による信号伝送を可能としたテレビカメラシステムであって、前記パラレル通信用コネクタは、２つの第１コネクタ及び第２コネクタからなり、前記第１コネクタに装着可能な第１ケーブルコネクタと、前記第２コネクタ及び前記シリアル通信用コネクタに装着可能な第２ケーブルコネクタと、前記カメラ装置のコネクタに装着可能な第３ケーブルコネクタとを有するケーブルであって、第１ケーブルコネクタ及び第２ケーブルコネクタの各端子を前記第３ケーブルコネクタの各端子に接続するケーブルの接続において、前記第１ケーブルコネクタを前記第１コネクタに装着し、前記第２ケーブルコネクタを前記第２コネクタに装着し、前記第３ケーブルコネクタを前記カメラ装置のコネクタに装着することにより、前記レンズ装置と前記カメラ装置との間でパラレル通信による信号伝送を可能とし、前記シリアル通信用コネクタに前記第２ケーブルコネクタを装着し、前記第３ケーブルコネクタを前記カメラ装置のコネクタに装着することにより、前記レンズ装置と前記カメラ装置との間でシリアル通信による信号伝送を可能とすることを特徴としている。
【００１７】
本発明は、カメラ装置のコネクタのシリアル通信に使用される端子に接続される信号線のみをケーブルのコネクタの接続先の選択によって、パラレル通信用の信号線とシリアル通信用の信号線とで変更するようにした態様である。
【発明の効果】
【００２０】
本発明に係るテレビカメラシステムによれば、安価な構成により、レンズ装置とカメラ装置のとの間での信号伝送の方式をパラレル通信とシリアル通信とで切り替えられるようになる。
【発明を実施するための最良の形態】
【００２１】
以下、添付図面に従って本発明に係るテレビカメラシステムを実施するための最良の形態について詳説する。
【００２２】
図１は、本発明が適用されるテレビカメラシステムの構成を示した外観側面図である。同図に示すテレビカメラシステム１０は、ＥＦＰレンズ１２、ＥＮＧカメラ１４、レンズサポータ１６を備えている。ＥＦＰレンズ１２は、主にスタジオ等で三脚に固定されて使用されるＥＦＰカメラ用のレンズ装置であり、箱型のケース内に撮影光学系（撮影レンズ）や制御回路等が搭載されている大型のレンズ装置である。
【００２３】
ＥＮＧカメラ１４は、主に取材などに携帯され、カメラマンが肩等で支持して使用するカメラ装置であり、本来は同図のＥＦＰレンズではなく、小型のレンズ装置（ＥＮＧレンズ）が装着されて使用されるカメラ装置である。
【００２４】
レンズサポータ１６は、使用態様が異なるこれらのＥＦＰレンズ１２とＥＮＧカメラ１４とを装着して使用できるようにするためのアダプタであり、例えば、三脚上に固定される。レンズサポータ１６は、水平方向の基台部１８と基台部１８に対して鉛直方向に立設された衝立部２０とを備えており、衝立部２０の前側（図中左側）にＥＦＰレンズ１２、後側（図中右側）にＥＮＧカメラ１４がそれぞれ固定されるようになっている。
【００２５】
衝立部２０には図示しない開口部が設けられている。一方、ＥＦＰレンズ１２の背面には、撮影光学系を収容するレンズ鏡胴の後端部に設けられたバヨネットマウントが突出しており、そのバヨネットマウントが衝立部２０の開口部を挿通して、衝立部２０の後側に固定されたＥＮＧカメラ１４のマウントに連結されるようになっている。これによって、ＥＮＧカメラ１４にＥＦＰレンズ１２の撮影光学系が装着されるようになっている。
【００２６】
また、ＥＦＰレンズ１２とＥＮＧカメラ１４とは、各種信号のやり取りが可能なようにレンズサポータ１６を介して電気的に接続されるようになっている。
【００２７】
図２は、ＥＦＰレンズ１２とＥＮＧカメラ１４との間での信号伝送をパラレル通信により行うようにした従来における各装置間での電気コネクタの接続態様を示した図である。
【００２８】
ＥＦＰレンズ１２の背面側にはカメラ装置（通常ではＥＦＰカメラ）との間で各種信号のやり取りを行うための３６ピンのコネクタ３０が設けられており、レンズサポータ１６の衝立部２０の前面には、そのコネクタ３０に連結可能な３６ピンのレンズ側コネクタ３２が設けられている。ＥＦＰレンズ１２をレンズサポータ１６に固定すると、それらのコネクタ３０、３２も直結されようになっている。
【００２９】
ＥＮＧカメラ１４にはレンズ装置（通常ではＥＮＧレンズ）との間で各種信号のやり取りを行うための１２ピンのコネクタ３４が設けられている。レンズサポータ１６の衝立部２０の背面側からはケーブル３６が送出され、そのケーブル３６の端部にＥＮＧカメラ１４のコネクタ３４に接続される１２ピンのカメラ側コネクタ３８が設けられている。そのカメラ側コネクタ３８とＥＮＧカメラ１４のコネクタ３４とが連結されるようになっている。
【００３０】
一方、ＥＦＰレンズ１２のコネクタ３０及びレンズサポータ１６のレンズ側コネクタ３２が３６ピンであるのに対して、ＥＮＧカメラ１４のコネクタ３４及びレンズサポータ１６のカメラ側コネクタ３８が１２ピンであり、ピン数（信号線の数）が相違している。そのため、ＥＮＧカメラ１４がパラレル通信を行う場合におけるコネクタ３４の各ピンの信号線の種類（各ピンから入出力される信号の種類）に適合するように、レンズサポータ１６内において、レンズ側コネクタ３２の３６ピンのうちからＥＮＧカメラ１４で必要な種類の信号線のピンのみをカメラ側コネクタ３８の対応する各ピンに内部の伝送線により接続するようにしている。
【００３１】
図３は、図２の接続態様によりＥＦＰレンズ１２とＥＮＧカメラ１４との間での信号伝送をパラレル通信により行う場合の信号線の接続状態を示した図である。同図において、レンズ側送受信部５０は、ＥＦＰレンズ１２内に搭載され、カメラ装置との間でやり取りする信号を送受信する回路部を示し、カメラ側送受信部５２は、ＥＮＧカメラ１４内に搭載され、レンズ装置との間でやり取りする信号を送受信する回路部を示している。
【００３２】
カメラ側送受信部５２の１〜１２番の各端子は、図２に示したＥＮＧカメラ１４のコネクタ３４の各ピンに接続される端子を示しており、各端子の番号は各々が接続されるコネクタ３４の各ピンの番号を示している。また、レンズ側送受信部５０の４〜６、８、１２〜１８番の各端子は、図２に示したＥＦＰレンズ１２のコネクタ３０の各ピンに接続される端子を示しており、各端子の番号は各々が接続されるコネクタ３０の各ピンの番号を示している。レンズ側送受信部５０において、コネクタ３０の他の番号のピンに接続される端子については詳細な図を省略して示している。
【００３３】
図２のようにＥＦＰレンズ１２とＥＮＧカメラ１４とをレンズサポータ１６を介して接続した場合、図３のように、レンズ側送受信部５０の４〜６、８、１２〜１８番の各端子が、カメラ側送受信部５２の１〜３、５〜１１番の端子に信号線１〜３、５〜１１により接続される。
【００３４】
カメラ側送受信部５２の１〜３、５〜１１番の端子は、パラレル通信で使用される信号線の端子であり、ＥＦＰレンズ１２においてパラレル通信を行う場合に、これらの信号線の種類に一致するレンズ側送受信部５０の４〜６、８、１２〜１８番の端子が、各信号線１〜３、５〜１１を通じて接続される。これによって、ＥＦＰレンズ１２とＥＮＧカメラ１４との間でパラレル通信による信号伝送が可能となる。尚、ＥＦＰレンズ１２のコネクタ３０の４〜６、８、１２〜１８番ピン以外のピンに接続されるレンズ側送受信部５０の他の信号線の端子は、同図では省略しているが、カメラ側送受信部５２に接続されず開放の状態となる。
【００３５】
このような従来のテレビカメラシステムの構成においては、ＥＦＰレンズ１２及びＥＮＧカメラ１４が、信号伝送の方式としてパラレル通信以外にシリアル通信にも対応している場合であっても、シリアル通信での信号伝送を行うことができず、パラレル通信のみでの信号伝送に限定されている。
【００３６】
即ち、ＥＦＰレンズ１２では、シリアル通信を行う場合、レンズ側送受信部５０のパラレル通信でも使用される８、１８番の端子（コネクタ３０の３６ピンのうち８、１８番ピンの信号線）が使用される。それらの端子は、図３のようにパラレル通信を行う場合には、それぞれカメラ側送受信部５２の９、８番の端子に接続されている。
【００３７】
一方、ＥＮＧカメラ１４では、シリアル通信を行う場合には、カメラ送受信部５２の１１、１２番の端子（コネクタ３４の１２ピンのうち１１、１２番ピンの信号線）が使用される。
【００３８】
そのため、シリアル通信を行う場合には、レンズ側送受信部５０の８、１８番の端子をカメラ側送受信部５２の１１、１２番の端子に接続する必要がある。
【００３９】
図２、図３で示した従来のテレビカメラシステムでは、そのような接続状態への切替えを可能にしていないため、ＥＦＰレンズ１２とＥＮＧカメラ１４との間での信号伝送がパラレル通信に限定されている。
【００４０】
そこで、以下で説明する本実施の形態では、図１、２に示したＥＮＧカメラ１４に変更を加えることなく、ＥＦＰレンズ１２又はレンズサポータ１６に変更を加え、レンズ側送受信部５０の８、１８番の端子の接続先をカメラ側送受信部５２の９、８番の端子（パラレル通信の場合）と、１１、１２番の端子（シリアル通信の場合）とで切替可能にすること等によって、ＥＦＰレンズ１２とＥＮＧカメラ１４との間でパラレル通信とシリアル通信の両方式で信号伝送を行えるようにしている。
【００４１】
図４は、ＥＦＰレンズ１２とＥＮＧカメラ１４との間での信号伝送をパラレル通信とシリアル通信の両方式で行えるようにした場合の各装置間での電気コネクタの接続態様を示した第１の実施の形態の図である。尚、図２と同一の構成要素には図２と同一符号を付し、詳細な説明を省略する。
【００４２】
同図において、レンズサポータ１６にＥＦＰレンズ１２を固定すると、図２で示したのと同様に、ＥＦＰレンズ１２の背面側に設けられた３６ピンのコネクタ３０と、レンズサポータ１６の衝立部２０の前面に設けられた３６ピンのコネクタ３０とが連結される。
【００４３】
レンズサポータ１６の衝立部２０の背面側からは図２と同様にケーブル３６が送出され、そのケーブル３６の端部にＥＮＧカメラ１４のコネクタ３４に連結可能な１２ピンのカメラ側コネクタ３８が設けられている。このカメラ側コネクタ３８は、図２と同様にパラレル通信を行う場合にＥＮＧカメラ１４のコネクタ３４に連結される。尚、以下において、カメラ側コネクタ３８をパラレル用コネクタ３８と称す。
【００４４】
一方、衝立部２０の背面側には図２と異なり、ケーブル３６と異なるケーブル６０が送出されており、そのケーブル６０の端部にＥＮＧカメラ１４のコネクタ３４に連結可能なシリアル用コネクタ６２が設けられている。このシリアル用コネクタ６２は、シリアル通信を行う場合にＥＮＧカメラ１４のコネクタ３４に連結される。
【００４５】
ユーザは、ＥＦＰレンズ１２とＥＮＧカメラ１４との間での信号伝送の方式をパラレル通信としたい場合には、レンズサポータ１６のパラレル用コネクタ３８をＥＮＧカメラ１４のコネクタ３４に連結し、シリアル通信としたい場合には、レンズサポータ１６のシリアル用コネクタ６２をＥＮＧカメラ１４のコネクタ３４に連結すれば、望んだ方式での信号伝送が行われるようになっている。
【００４６】
図５は、このようなコネクタの接続態様におけるＥＦＰレンズ１２とＥＮＧカメラ１４との間での信号線の接続状態を示した図である。図３と同一又は類似の構成要素には図３と同一符号を付し、詳細な説明を省略する。また、パラレル通信を行う際にレンズ側送受信部５０とカメラ側送受信部５２とで接続される端子及び信号線であって、レンズ側送受信部５０の８、１８番以外の端子、カメラ側送受信部５２の８、９、１１、１２番以外の端子、及び、それらの端子間を接続する信号線を、各々１つの端子（番号ＬＰ、ＣＰ）と１つの信号線Ｐで示している（以下の他の実施の形態においても同様）。
【００４７】
同図において、レンズサポータ１６のパラレル用コネクタ３８及びシリアル用コネクタ６２の各ピンの番号は、ＥＮＧカメラ１４のコネクタ３４にそれらのコネクタ３８、６２を装着したときに接続されるコネクタ３４の各ピンの番号を示している。
【００４８】
パラレル用コネクタ３８の９、８番のピンにはレンズ側送受信部５０の８、１８番の端子が接続されている。また、パラレル用コネクタ３８のＣＰ番のピンにはレンズ側送受信部５０のＬＰ番の端子が接続され、パラレル用コネクタ３８の１２番のピンは開放されている。尚、パラレル用コネクタ３８の１１番のピンは、レンズ側送受信部５０の１６番の端子に接続されているが、同図では省略している。
【００４９】
これによれば、パラレル用コネクタ３８をＥＮＧカメラ１４のコネクタ３４に装着すると、レンズ側送受信部５０の８、１８番の端子が、カメラ側送受信部５２の９、８番の端子に信号線９、８により接続される。また、レンズ側送受信部５０のパラレル通信で使用されるその他の端子（１６番も含むＬＰ番の端子）も、カメラ側送受信部５２のＣＰ番の端子（１１番も含む）に接続される。従って、パラレル通信による信号伝送が可能となる。
【００５０】
一方、シリアル用コネクタの１１、１２番のピンにはレンズ側送受信部５０の８、１８番の端子が接続されている。シリアル用コネクタ６２のその他のピンは開放されている。
【００５１】
これによれば、シリアル用コネクタ６２をＥＮＧカメラ１４のコネクタ３４に装着すると、レンズ側送受信部５０の８、１８番の端子が、カメラ側送受信部５２の１１、１２番の端子に信号線１１、１２により接続される。従って、シリアル通信による信号伝送が可能となる。
【００５２】
図６は、ＥＦＰレンズ１２とＥＮＧカメラ１４との間での信号伝送をパラレル通信とシリアル通信の両方式で行えるようにした場合の各装置間での電気コネクタの接続態様を示した第２の実施の形態の図である。尚、図４と同一又は類似の構成要素には図４と同一符号を付し、詳細な説明を省略する。
【００５３】
同図において、レンズサポータ１６にＥＦＰレンズ１２を固定すると、図２及び図４で示したのと同様に、ＥＦＰレンズ１２の背面側に設けられた３６ピンのコネクタ３０、レンズサポータ１６の衝立部２０の前面に設けられた３６ピンのコネクタ３０とが連結される。
【００５４】
レンズサポータ１６の衝立部２０の背面には、図４と異なり、ケーブル３６、６０を設けることなく、１２ピンのパラレル用コネクタ３８とシリアル用コネクタ６２が壁面に直接設けられている。これらのコネクタ３８、６２は、ケーブル７０の一端に設けられた１２ピンのコネクタ７２が装着可能であると共に、ケーブル７０の他端に設けられた１２ピンのコネクタ７４がＥＮＧカメラ１４のコネクタ３４に装着可能となっている。
【００５５】
ユーザは、ＥＦＰレンズ１２とＥＮＧカメラ１４との間での信号伝送の方式をパラレル通信としたい場合には、レンズサポータ１６のパラレル用コネクタ３８とＥＮＧカメラ１４のコネクタ３４との間をケーブル７０により接続する。即ち、ケーブル７０のコネクタ７２をパラレル用コネクタ３８に装着し、ケーブル７０のコネクタ７４をＥＮＧカメラ１４のコネクタ３４に装着する。
【００５６】
一方、ＥＦＰレンズ１２とＥＮＧカメラ１４との間での信号伝送の方式をシリアル通信としたい場合には、レンズサポータ１６のシリアル用コネクタ６２とＥＮＧカメラ１４のコネクタ３４との間をケーブル７０により接続する。即ち、ケーブル７０のコネクタ７２をシリアル用コネクタ６２に装着し、ケーブル７０のコネクタ７４をＥＮＧカメラ１４のコネクタ３４に装着する。
【００５７】
図７は、このようなコネクタの接続態様におけるＥＦＰレンズ１２とＥＮＧカメラ１４との間での信号線の接続状態を示した図である。図５と同一又は類似の構成要素には図５と同一符号を付し、詳細な説明を省略する。
【００５８】
同図において、図５の構成と相違する点は、レンズサポータ１６のパラレル用コネクタ３８又はシリアル用コネクタ６２がＥＮＧカメラ１４のコネクタ３４に直接接続されるのではなく、パラレル用コネクタ３８又はシリアル用コネクタ６２と各ピンと、ＥＮＧカメラ１４のコネクタ３４がケーブル７０を介して接続される点である。
【００５９】
ケーブル７０のコネクタ７２をパラレル用コネクタ３８に装着し、ケーブル７０のコネクタ７４をＥＮＧカメラ１４のコネクタ３４に装着すると、レンズ側送受信部５０の８、１８番の端子が、カメラ側送受信部５２の９、８番の端子に信号線９、８により接続される。また、レンズ側送受信部５０のパラレル通信で使用されるその他の端子（１６番も含むＬＰ番の端子）も、カメラ側送受信部５２のＣＰ番の端子（１１番も含む）に接続される。従って、パラレル通信による信号伝送が可能となる。
【００６０】
一方、ケーブル７０のコネクタ７２をシリアル用コネクタ６２に装着し、ケーブル７０のコネクタ７４をＥＮＧカメラ１４のコネクタ３４に装着すると、レンズ側送受信部５０の８、１８番の端子が、カメラ側送受信部５２の１１、１２番の端子に信号線１１、１２により接続される。従って、シリアル通信による信号伝送が可能となる。
【００６１】
尚、上記第１及び第２の実施の形態では、パラレル用コネクタ３８及びシリアル用コネクタ６２がレンズサポータ１６に設けられているが、いずれか一方、又は、両方がＥＦＰレンズ１２に設けられていてもよい。
【００６２】
図８は、ＥＦＰレンズ１２とＥＮＧカメラ１４との間での信号伝送をパラレル通信とシリアル通信の両方式で行えるようにした場合の各装置間での電気コネクタの接続態様を示した第３の実施の形態の図である。尚、図２と同一又は類似の構成要素には図２と同一符号を付し、詳細な説明を省略する。
【００６３】
同図において、レンズサポータ１６にＥＦＰレンズ１２を固定すると、図２で示したのと同様に、ＥＦＰレンズ１２の背面側に設けられた３６ピンのコネクタ３０と、レンズサポータ１６の衝立部２０の前面に設けられた３６ピンのコネクタ３０とが連結される。
【００６４】
レンズサポータ１６の衝立部２０の背面側からは図２と同様にケーブル３６が送出され、そのケーブル３６の端部にＥＮＧカメラ１４のコネクタ３４に連結可能な１２ピンのカメラ側コネクタ３８が設けられている。このカメラ側コネクタ３８は、図２とパラレル通信を行う場合でもシリアル通信を行う場合でもＥＮＧカメラ１４のコネクタ３４に連結される。
【００６５】
一方、ＥＦＰレンズ１２には、コネクタ３０以外の例えば４ピンのパラレル用コネクタ８０とシリアル用コネクタ８２が設けられている。また、ケーブル３６には、分岐されたケーブル３６′が設けられており、その端部にコネクタ８０、８２に装着可能なコネクタ８４が設けられている。
【００６６】
ユーザは、ＥＦＰレンズ１２とＥＮＧカメラ１４との間での信号伝送の方式をパラレル通信としたい場合には、ケーブル３６′のコネクタ８４をＥＦＰレンズ１２のパラレル用コネクタ８０に装着し、シリアル通信としたい場合には、ケーブル３６′のコネクタ８４をＥＦＰレンズ１２のシリアル用コネクタ８２に装着すれば、望んだ方式での信号伝送が行われるようになっている。
【００６７】
図９は、このようなコネクタの接続態様におけるＥＦＰレンズ１２とＥＮＧカメラ１４との間での信号線の接続状態を示した図である。図３又は図５と同一又は類似の構成要素には図３又は図５と同一符号を付し、詳細な説明を省略する。
【００６８】
同図において、レンズサポータ１６のカメラ側コネクタ３８のＣＰ番のピンは、レンズ送受信部５０のＬＰ番の端子に接続され、カメラ側コネクタ３８の８、９、１１、１２番のピンは、ケーブル３６′のコネクタ８４の８、９、１１、１２番のピンに接続されている。
【００６９】
一方、ＥＦＰレンズ１２のパラレル用コネクタ８０の８、９、１１番のピンは、レンズ側送受信部５０の１８、８、１６番の端子に接続され、１２番のピンは、開放されている。
【００７０】
また、ＥＦＰレンズ１２のシリアル用コネクタ８２の１１、１２番のピンは、レンズ側送受信部５０の８、１８番の端子に接続され、８、９番のピンは、開放されている。
【００７１】
従って、レンズサポータ１６のカメラ側コネクタ３８をＥＮＧカメラ１４のコネクタ３４に装着すると共に、ケーブル３６′のコネクタ８４をＥＦＰレンズ１２のパラレル用コネクタ８０に装着すると、レンズ側送受信部５０の８、１８番の端子がカメラ側送受信部５２の９、８番の端子に接続されると共に、レンズ送受信部５０の１６番の端子がカメラ側送受信部５２の１１番の端子に接続される。これによって、パラレル通信による信号伝送が可能となる。
【００７２】
一方、レンズサポータ１６のカメラ側コネクタ３８をＥＮＧカメラ１４のコネクタ３４に装着すると共に、ケーブル３６′のコネクタ８４をＥＦＰレンズ１２のシリアル用コネクタ８２に装着すると、レンズ側送受信部５０の８、１８番の端子が、カメラ側送受信部５２の１１、１２番の端子に接続される。従って、シリアル通信による信号伝送が可能となる。
【００７３】
以上、上記第１〜第３の実施の形態では、ケーブルのコネクタの接続先によってパラレル通信を行う場合とシリアル通信を行う場合とで切り替えるようにしたが、マニュアル操作されるスイッチによって切り替えるようにしてもよい。
【００７４】
図１０は、ＥＦＰレンズ１２とＥＮＧカメラ１４との間での信号伝送をパラレル通信とシリアル通信の両方式で行えるようにした場合の各装置間での電気コネクタの接続態様を示した第４の実施の形態の図である。同図の接続態様は、図２に示した従来の接続態様と全く同様の態様である。一方、レンズサポータ１６にはスイッチ１００が設けられている。
【００７５】
図１１は、ＥＦＰレンズ１２とＥＮＧカメラ１４との間での信号線の接続状態を示した図である。図１０に示すようにレンズサポータ１６のスイッチ１００により、レンズ側送受信部５０の８、１８番の端子を、カメラ側送受信部５２の９、８番の端子に接続する場合と、カメラ側送受信部５２の１１、１２番の端子に接続する場合とで切り替えられるようになっている。これにより、パラレル通信としたい場合には、そのスイッチ１００によってレンズ側送受信部５０の８、１８番の端子を、カメラ側送受信部５２の９、８番の端子に接続し、シリアル通信としたい場合には、そのスイッチ１００によってレンズ側送受信部５０の８、１８番の端子を、レンズ側送受信部５２の１１、１２番の端子に接続する。
【００７６】
尚、スイッチ１００は、ＥＦＰレンズ１２内に設けてもよい。レンズサポータ内であってもよい。
【００７７】
以上の第１〜第４の実施の形態によれば、「発明が解決しようとする課題」の欄で挙げた特許第３７９９１６９号公報に記載の発明のようなＥＮＧカメラ１４がシリアル通信対応か否かを判断する判断手段はなく、また、その判断手段の判断結果によって自動でＥＦＰレンズ１２とＥＮＧカメラ１４との間での信号線の接続をパラレル通信用とシリアル通信用とで自動で切り替える切替手段もなく、ユーザの判断でケーブルの接続やスイッチを操作してＥＦＰレンズ１２とＥＮＧカメラ１４との間での信号線の接続をパラレル通信用とシリアル通信用とで切り替えるようにしている。そのため、簡易かつ安価な構成で実現できると共に、シリアル通信時に通信エラーが発生した場合にパラレル用の接続に自動的に切り替わり、復帰に時間を要するという不具合も解消することができる。
【図面の簡単な説明】
【００７８】
【図１】図１は、本発明が適用されるテレビカメラシステムの構成を示した外観側面図である。
【図２】図２は、ＥＦＰレンズとＥＮＧカメラとの間での信号伝送をパラレル通信により行うようにした従来における各装置間での電気コネクタの接続態様を示した図である。
【図３】図３は、図２の接続態様によりＥＦＰレンズとＥＮＧカメラとの間での信号伝送をパラレル通信により行う場合の信号線の接続状態を示した図である。
【図４】図４は、ＥＦＰレンズとＥＮＧカメラとの間での信号伝送をパラレル通信とシリアル通信の両方式で行えるようにした場合の各装置間での電気コネクタの接続態様を示した第１の実施の形態の図である。
【図５】図５は、図４の接続態様におけるＥＦＰレンズとＥＮＧカメラとの間での信号線の接続状態を示した図である。
【図６】図６は、ＥＦＰレンズとＥＮＧカメラとの間での信号伝送をパラレル通信とシリアル通信の両方式で行えるようにした場合の各装置間での電気コネクタの接続態様を示した第２の実施の形態の図である。
【図７】図７は、図６の接続態様におけるＥＦＰレンズとＥＮＧカメラとの間での信号線の接続状態を示した図である。
【図８】図８は、ＥＦＰレンズとＥＮＧカメラとの間での信号伝送をパラレル通信とシリアル通信の両方式で行えるようにした場合の各装置間での電気コネクタの接続態様を示した第３の実施の形態の図である。
【図９】図９は、図８の接続態様におけるＥＦＰレンズとＥＮＧカメラとの間での信号線の接続状態を示した図である。
【図１０】図１０は、ＥＦＰレンズとＥＮＧカメラとの間での信号伝送をパラレル通信とシリアル通信の両方式で行えるようにした場合の各装置間での電気コネクタの接続態様を示した第４の実施の形態の図である。
【図１１】図１１は、図１０の接続態様におけるＥＦＰレンズとＥＮＧカメラとの間での信号線の接続状態を示した図である。
【符号の説明】
【００７９】
１０…テレビカメラシステム、１２…ＥＦＰレンズ、１４…ＥＮＧカメラ、１６…レンズサポータ、３０、３４…コネクタ、３２…レンズ側コネクタ、３８…カメラ側コネクタ（パラレル用コネクタ）、５０…レンズ側送受信部、５２…カメラ側送受信部、６２…シリアル用コネクタ、７０…ケーブル、８０…パラレル用コネクタ、８２…シリアル用コネクタ、１００…スイッチ
【図１】
0004865665.tif 000002
【図２】
0004865665.tif 000003
【図３】
0004865665.tif 000004
【図４】
0004865665.tif 000005
【図５】
0004865665.tif 000006
【図６】
0004865665.tif 000007
【図７】
0004865665.tif 000008
【図８】
0004865665.tif 000009
【図９】
0004865665.tif 000010
【図１０】
0004865665.tif 000011
【図１１】
0004865665.tif 000012